(57)【要約】【課題】  長尺なものも収納できるようにすることが出来る床置きブロック及び床置きユニットを提供することを目的としている。【解決手段】  一対の対向する側板１と側板２１間を連結する地板２２を備え、天面開口２３と一対の対向する側面開口２４を形成した平面視正方形の略直方体を呈する躯体枠２０の床置きブロック１０であって、天面開口２３を天板３０で開閉自在に覆い、側面開口２４を開放状態か、扉４０または引き出し５０によって閉塞状態にしたことを特徴とする床置きブロックとし、また、これらの幾つかを側面開口２４が連通するように連結した床置きユニットとしている。【選択図】  図６
2006110109.tif 000002
【特許請求の範囲】
【請求項１】
一対の対向する側板と該側板間を連結する地板を備え、天面開口と一対の対向する側面開口を形成した平面視正方形の略直方体を呈する躯体枠の床置きブロックであって、
前記天面開口を天板で開閉自在に覆い、前記側面開口を開放状態か、扉または引き出しによって閉塞状態にしたことを特徴とする床置きブロック。
【請求項２】
請求項１において、前記扉は下端部を支点に開閉自在であることを特徴とする床置きブロック。
【請求項３】
請求項２において、前記扉は、上下２分割され、下が隣接する前記地板間の間隙に入る大きさで、上が残りの大きさで上端部を支点に開閉自在に形成されていることを特徴とする床置きユニット。
【請求項４】
請求項１乃至３のいずれか１項の床置きブロックの２個以上を、前記側面開口が連通するように直列させたことを特徴とする床置きユニット。
【請求項５】
請求項４の床置きユニットを２個以上、横に並列させ、及び/又は縦に積み重ねて配置したことを特徴とする床置きユニット。
【発明の詳細な説明】
【技術分野】
【０００１】
この発明は、木材、コルク、塩ビ樹脂、セラミック等の材料を用いた既設の床に、所定の床置きブロックを組み合わせて平面的にあるいは立体的に配置してユニットを構成する床置きユニットに関するものである。
【背景技術】
【０００２】
従来、この種の床置きブロック及び床置きユニットとしては、床置きブロック１を平面的（図９）にあるいは立体的（図１０）に配置してユニットを構成する床置きユニットが開示されている（特許文献１参照）。これによれば、床置きブロック１は長細い直方体を呈しており、天面に天板２が、側面には２枚の扉４が設けられ、それぞれ穴３及び摘み５を使って開閉自在に取り付けられて作られている。
【０００３】
この床置きブロック１を４個、扉５が外側になるように平面的に組み合わせて図９に示すような大きな平面を床より高い位置に作っている。また、床置きブロック１を同じく４個を縦に立体的に積み重ねて図１０に示すタンスのような使い方をしている。すなわち、既設の床に平面的なあるいは立体的な床置きユニットを配置して収納を増やし、上からあるいは側方から取り出しやすく、しかも雰囲気を変えて使うことが出来る。
【特許文献１】特開平６−２６９３３８号公報
【発明の開示】
【発明が解決しようとする課題】
【０００４】
しかしながら、配置の自由度を考えて床置きブロック１はある程度小さいものとしているため、スキー板、巻いた絨毯等の長尺なものを仕舞うことが出来ないという問題があった。
【０００５】
そこで、この発明は、上記問題に鑑みて長尺なものも収納できるようにすることが出来る床置きブロック及び床置きユニットを提供することを目的としている。
【課題を解決するための手段】
【０００６】
この目的を達成するため、請求項１の発明は、一対の対向する側板と該側板間を連結する地板を備え、天面開口と一対の対向する側面開口を形成した平面視正方形の略直方体を呈する躯体枠の床置きブロックであって、前記天面開口を天板で開閉自在に覆い、前記側面開口を開放状態か、扉または引き出しによって閉塞状態にしたことを特徴とする床置きブロックとしている。
【０００７】
また、請求項２の発明は、請求項１において、前記扉は下端部を支点に開閉自在であることを特徴とする床置きブロックとしている。
【０００８】
また、請求項３の発明は、請求項２において、前記扉は、上下２分割され、下が隣接する前記地板間の間隙に入る大きさで、上が残りの大きさで上端部を支点に開閉自在に形成されていることを特徴とする床置きユニットとしている。
【０００９】
また、請求項４の発明は、請求項１乃至３のいずれか１項の床置きブロックの２個以上を、前記側面開口が連通するように直列させたことを特徴とする床置きユニットとしている。
【００１０】
さらに、請求項５の発明は、請求項４の床置きユニットを２個以上、横に並列させ、及び/又は縦に積み重ねて配置したことを特徴とする床置きユニットとしている。
【発明の効果】
【００１１】
請求項１の発明によれば、側面開口を開放状態か、扉又は引き出しによって閉塞状態にしているため、その並べ方で高床でベッドにあるいは腰掛け等にすると共に、長尺なものを収納し得る床置きブロックを提供することが出来る。
【００１２】
請求項２の発明によれば、上記請求項１の発明の効用に加え、扉付きの床置きブロックの扉を、他の床置きブロックの開放されている側面開口と対面させた場合、隣接する地板上に倒すことによって側面開口を連通させ、長尺なものを収納し得る床置きブロックを提供できる。
【００１３】
請求項３の発明によれば、請求項２の場合に隣接する地板間の間隙に扉の下側を落とし込み地板間を面一に接続できスムースな出し入れが出来る。
【００１４】
請求項４の発明によれば、上記請求項１乃至３の発明の効用を実現した床置きユニットを提供することが出来る。
【００１５】
請求項５の発明によれば、長尺なものを収納でき、部屋の間仕切りなどもできる床置きユニットを提供できる。
【発明を実施するための最良の形態】
【００１６】
以下、図面に基づいてこの発明を説明する。
【００１７】
図１〜図５に床置きブロックを示し、図６〜図８に床置きブロックを集めた床置きユニットを示している。
【００１８】
図中、１０は既設の床に置かれる床置きブロックであって、平面視正方形の略直方体を呈し、中に収納可能にされている。この床置きブロック１０は、一対の対向する側板２１とこの側板２１間を連結する地板２２及び桟２６を備え、天面開口２３と一対の対向する側面開口２４を形成した平面視正方形の略直方体を呈する躯体枠２０に天板３０が天面開口２３を開閉自在に覆い、側面開口２４を図５のように開放状態か、図３または図４のように扉４０または引き出し５０によって閉塞状態にして構成されている。
【００１９】
図３から図５に示す床置きブロック１０を選択的に２つ以上側面開口２４を連通するように直列に繋ぐことによって長尺なものを収納できる床置きユニットを形成している。連通するように繋ぐには、図３に示す床置きブロック１０の一方の扉４０を取り除いたものと、図４の引き出し５０を取り除いた床置きブロック１０と、あるいは図５の開放状態の床置きブロック１０との種々の組み合わせで、両端の側面開口２４が閉塞されていたり、開放されていたりする図６から図８に示す種々の床置きユニットが形成される。
【００２０】
具体的には、躯体枠２０には、天面開口２３で天板３０を受け、側面開口２４で扉４０を受ける支持縁２５が側板２１及び桟２６の内側に設けられている。この天面開口２３に天板３０が開閉自在に設けられている。図示のように、天板３０を着脱するか、あるいは図示しないヒンジ等で開閉することによって開閉自在としている。天板３０は、分割、例えば２分割してもよく、着脱あるいは開閉を容易にするため指を挿入しうる穴３１が適宜位置に適宜な数設けられても良い。
【００２１】
扉４０は、図１、図３、図６に示すように地板２２との間に図示しないヒンジが設けられ、地板２２の端面と支持縁２５の外側面と当接するように側面開口２４を閉塞状態にし、かつ下端部を支点に開閉自在に回動し側面開口２４を開放状態にし得る。この開放のとき、扉４０は、図１及び図６に示すように外表面が地板２２の上面と一致するように倒すことも、図３のように内表面が地板２２の上面と一致して面一にすることも出来る。当然のことながら、後者は、面一となり収納物の収納、取り出しの際に引っかかりがなくスムースに出し入れできる。
【００２２】
図５に示す床置きブロック１０は、躯体枠２０の天面開口２３に天板３０を支持縁２５で開閉自在に支持し、側板２１，支持板２５及び地盤２２で形成される対向する一対の側面開口２４が貫通して開放状態に設けられている。
【００２３】
図３に示す床置きブロック１０は、図５の開放状態の床置きブロック１０に扉４０を取り付けたものであり、図４に示す床置きブロック１０は、図５の開放状態の床置きブロック１０に引き出し５０を装着したものである。引き出し５０は、図４に示す前面板５１が支持縁２５及び地盤２２の端面と当接し、中に入り込むのを防止し、一方からの出し入れしかできないように規制されたものと、図２に示すように前面板５１及び後面板５２が同じ大きさで、両側面開口２４から挿脱自在で、内面を進退自在であるものとがある。
【００２４】
これら床置きブロック１０を２個以上組み合わせ、側面開口が連通するように直列させて、例えば、図６に示す床置きユニットを形成する。この床置きユニットは、一方の扉４０を外した床置きブロック１０と両側に扉４０を付けた床置きブロック１０とを図示しないボルトなどにより連結固定し、両床置きブロック１０の地板２２間には物が挟まったり、落ちてしまう間隙Ｈが生ずるが、扉４０を間隙Ｈを越えて地板２２の上に倒して掛け渡している。この間隙Ｈに図示しないスペーサを嵌めても良いが、扉４０を上下２分割し、下が隣接する地板２２間の間隙Ｈに入る大きさで、上が残りの大きさで上端部を支点に開閉自在に形成しても良い。こうすることで、間隙Ｈを埋めて地板２２と面一とし、収納物の出し入れを容易にすることが出来る。
【００２５】
より長いものを収納する床置きユニットは、図６に示す床置きユニットの中間に図３から図５に示す床置きブロック１０を必要なだけ追加して接続することによって得られる。
【００２６】
さらに、種々の床置きユニットを２個以上、図７又は図８に示すように横に並列させ、及び/又は縦に積み重ねて配置して種々の形態の床置きユニットとしている。図７の床置きユニットは、既設の床に高床を実現し、くつろぎの場を形成しており、天板３０を所どころ外して、また、扉４０を開け、種々の物、特に絨毯やスキーなどの長いものが収納され、また取り出しされることを示している。図８の床置きユニットは、横に並列させると共に縦にも積み上げた状態にしており、図６に示すような床置きユニット並列させ積み重ね、扉４０で開閉自在にして長尺なものを収脱出来、さらに、図２に示す引き出し５０を用い両側から出し入れできる部分が形成されている。これら床置きユニットを適宜に配置することにより、部屋の間仕切りとしても利用出来る。
【００２７】
また、これら床置きユニットの天板３０の上には、使用目的に応じて畳表やクッション性を持ったパッド等種々の化粧板などを載せることが出来る。
【図面の簡単な説明】
【００２８】
【図１】この発明の床置きブロックの分解斜視図である。
【図２】扉の代わりに側面開口を閉塞する引き出しの斜視図である。
【図３】図１の扉が地板と面一に開いた状態を示す床置きブロックの中央断面図である。
【図４】図１の扉の代わりに片側だけ引き出し可能な引き出しを装着した床置きブロックの中央断面図である。
【図５】図１の扉を両方とも取り去った状態の床置きブロックの中央断面図である。
【図６】両扉のある床置きブロックと一方が開放され他方が扉である床置きブロックとを連結し、長尺なものを収納可能にした状態の床置きユニットの中央断面図である。
【図７】床置きユニットを平面的に配設した床置きユニットの一部天面開口、側面開口を開放状態にした全体斜視図である。
【図８】床置きブロック、床置きユニットを平面的にあるいは立体的に配設した床置きユニットの全体斜視図である。
【図９】従来の床置きブロックを横に平面的に並べた床置きユニットの全体斜視図である。
【図１０】従来の床置きブロックを縦に立体的に並べた全体斜視図である。
【符号の説明】
【００２９】
１０                  床置きブロック
２０                  躯体枠
２１                  側板
２２                  地板
２３                  天面開口
２４                  側面開口
２５                  支持縁
２６                  桟
３０                  天板
４０                  扉
５０                  引き出し
Ｈ                    間隙
【図１】
2006110109.tif 000003
【図２】
2006110109.tif 000004
【図３】
2006110109.tif 000005
【図４】
2006110109.tif 000006
【図５】
2006110109.tif 000007
【図６】
2006110109.tif 000008
【図７】
2006110109.tif 000009
【図８】
2006110109.tif 000010
【図９】
2006110109.tif 000011
【図１０】
2006110109.tif 000012